(57)【要約】      （修正有）【課題】バイオチップのクレードルに対する脱着が容易に行え、バイオチップの流路への被検査流体の流入と流出が確実に行えるとともに、バイオチップを交換して流路を変更した場合にも、チューブの脱着を簡単に、かつ、流体漏れなく確実に取付けることを可能としたバイオチップインターフェイスユニットを提供する。【解決手段】マイクロ流路３ａを有し流出入孔３ｂを有するバイオチップ３を保持固定するクレードル１と、流出入孔に適宜に位置アライメントしチューブ７を介して流体を流入および流出させるスプリング流路プローブ６を保持するカバー５とで構成し、バイオチップの流出入孔にスプリング流路プローブを接続して流体が漏れないようにした。【選択図】図１
0003207758.tif 000002
【実用新案登録請求の範囲】
【請求項１】
マイクロ流路を有し流入および流出孔を有するバイオチップを保持固定するクレードルと、前記流入および流出孔に適宜に位置アライメントしチューブを介して流体を流入および流出させるスプリング流路プローブを保持するカバーとで構成し、前記バイオチップの流入および流出孔に前記スプリング流路プローブを接続して前記流体が漏れ出ないようにしたことを特徴とするバイオチップインターフェイスユニット。
【請求項２】
前記した請求項１において、スプリング流路プローブをバイオチップ流入および流出孔に的確に接続し接続後も相互のずれや外れることが生じないように、前記クレードルと前記カバーとを一体化したことを特徴とするバイオチップインターフェイスユニット。
【請求項３】
前記した請求項１において、前記バイオチップに電極あるいは電気回路を有するとき、プローブを搭載し回路接続を可能としたことを特徴とするバイオチップインターフェイスユニット。
【請求項４】
前記スプリング流路プローブは、前記バイオチップの流入および流出孔と前記チューブの端部とを、スプリングのバネ力で流路接続するようにしたことを特徴とする請求項１に記載のバイオチップインターフェイスユニット。
【請求項５】
前記スプリング流路プローブは、流路接続された前記バイオチップの流入および流出孔との接続面での流体の漏れを防ぐＯリングを保持していることを特徴とする請求項４に記載のバイオチップインターフェイスユニット。
【請求項６】
前記チューブは、前記バイオチップの流入および流出孔と流路接続される下端部が下方に拡開した拡開部に形成され、
前記スプリング流路プローブは、前記チューブを該スプリング流路プローブ内を貫通させて保持することを特徴とする請求項４に記載のバイオチップインターフェイスユニット。
【考案の詳細な説明】
【技術分野】
【０００１】
本考案は、薬液を注入した血液である流体や、食塩水に薬液を注入した被検査流体等の検査装置であって、マイクロ流路チップ或いはバイオチップ（以下バイオチップと総称する。）に形成されている流路の一端にプローブを接続して被検査流体を流入させ、前記流路の他端にプローブを接続して被検査流体を流路より流出させ、前記流路を流れている状態での被検査流体の検査を行うためのバイオチップインターフェイスユニットに関する。
【背景技術】
【０００２】
従来におけるバイオチップ（非特許文献１参照）の流路に被検査流体を流しながら検査を行う手段としては、前記バイオチップを検査用のテーブル等に載せた状態で、前記流路の両端に形成されている流出入孔に接着剤等でチューブの先端を固定し、前記チューブより被検査流体を流し込み、また、検査が終了した被検査流体は前記流路に形成されている流出入孔に固定されているチューブを介して排出するものであった（非特許文献２参照）。
上記非特許文献１は住友ベークライト株式会社のホームページの微細流路加工チップの写真で、本考案と関連するバイオチップのひとつに該当する。
上記非特許文献２はフルイドウェアテクノロジーズ株式会社のホームページのマイクロ流体チップにおけるＰＤＭＳ（シリコーンゴム）製マイクロ流体チップの写真で、チューブの下端をバイオチップの流路に接着剤等で固定し掲載されている。
【先行技術文献】
【非特許文献】
【０００３】
【非特許文献１】住友ベークライト株式会社ホームページ、インターネット<URL:http://www.sumibe.co.jp/product/s-bio/custom/processing/index.html>
【非特許文献２】フルイドウェアテクノロジーズ株式会社ホームページ、インターネット<URL:http://www.fluidware-technologies.com>
【考案の概要】
【考案が解決しようとする課題】
【０００４】
ところで、前記したバイオチップをテーブル等に載せた状態で検査する場合には、チューブを介して被検査流体のバイオチップへの流入や流出がスムースに行えないといった問題があった。また、チューブをバイオチップの流出入孔に固定する手段が接着剤で取付ける構造であると、バイオチップを交換する場合にはチューブとバイオチップの流出入孔との分離に時間が掛かり、最悪の場合にはバイオチップの流出入孔が接着剤によって塞がれバイオチップの再使用が出来なくなるといった問題もあった。
【０００５】
本考案は前記した問題点を解決せんとするもので、その目的とするところは、バイオチップをクレードルに対して脱着が容易に行え、前記バイオチップをクレードルにセットした状態においてカバーをクレードルの上面にセットすることで、チューブがバイオチップの流出入孔にスプリング流路プローブを介して接続されるので、バイオチップの流路への被検査流体の流入と流出が確実に行える。また、前記バイオチップの流出入孔に対して脱着および装着時の密着度が高いスプリング流路プローブで接続することで、チューブよりの被検査流体はバイオチップを交換して流路が変更した場合にも、チューブの脱着を簡単に、かつ、流体漏れなく確実に取付けることを可能とした。
【課題を解決するための手段】
【０００６】
本考案のバイオチップインターフェイスユニットは、前記した目的を達成せんとするもので、請求項１の手段は、マイクロ流路を有し流入および流出孔を有するバイオチップを保持固定するクレードルと、前記流入および流出孔に適宜に位置アライメントしチューブを介して流体を流入および流出させるスプリング流路プローブを保持するカバーとで構成し、前記バイオチップの流入および流出孔に前記スプリング流路プローブを接続して前記流体が漏れ出ないようにしたことを特徴とする。
【０００７】
請求項２の手段は、前記した請求項１において、スプリング流路プローブをバイオチップ流入および流出孔に的確に接続し接続後も相互のずれや外れることが生じないように、前記クレードルと前記カバーとを一体化したことを特徴とする。
【０００８】
請求項３の手段は、前記した請求項１において、前記バイオチップに電極あるいは電気回路を有するとき、プローブを搭載し回路接続を可能としたことを特徴とする。
【０００９】
請求項４の手段は、前記スプリング流路プローブが、前記バイオチップの流入および流出孔と前記チューブの端部とを、スプリングのバネ力で流路接続するようにしたことを特徴とする。
【００１０】
請求項５の手段は、前記スプリング流路プローブが、流路接続された前記バイオチップの流入および流出孔との接続面での流体の漏れを防ぐＯリングを保持していることを特徴とする。
【００１１】
請求項６の手段は、前記チューブが、前記バイオチップの流入および流出孔と流路接続される下端部が下方に拡開した拡開部に形成され、前記スプリング流路プローブが、前記チューブを該スプリング流路プローブ内を貫通させて保持することを特徴とする。
【考案の効果】
【００１２】
本考案は前記したように、バイオチップをクレードルに対して脱着容易に行え、前記バイオチップをクレードルにセットした状態においてカバーをクレードルの上面にセットすることで、バイオチップの流出入孔にスプリング流路プローブを介してチューブが接続されるので、バイオチップの流路への被検査流体の流入と流出が確実に行える。
【００１３】
また、バイオチップの流出入孔に対して分離および装着時の密着度が高いスプリング流路プローブで接続することで、チューブよりの被検査流体はバイオチップを交換して流路が変更された場合であっても、チューブの脱着を簡単に、かつ、流体漏れなく確実に取付けることができる。
【００１４】
さらに、スプリング流路プローブの構造がチューブの下端を拡開部とした簡単な構造であることから、コストの低減が図れると共に破損することがなく長期間の利用が可能である。
【００１５】
また、バイオチップのガラス面に電極と導電パターンを形成し、バイオチップ上の被検査流体に電流を流して被検査流体の抵抗値や高周波特性を測定するとき、電極へのプローブ接続により電気回路接続を簡便にできるという効果が得られるものである。
【図面の簡単な説明】
【００１６】
【図１】バイオチップインターフェイスユニットのクレードルとカバーを分離した状態の斜視図である。
【図２】バイオチップインターフェイスユニットのクレードルにカバーを重ね合わせる状態の斜視図である。
【図３】バイオチップインターフェイスユニットのバイオチップの流出入孔をスプリング流路プローブによって繋いだ状態の断面図である。
【図４】スプリング流路プローブの断面図である。
【図５】バイオチップインターフェイスユニットのバイオチップの流出入孔に他の実施例の拡開部加工を行ったチューブを挿入したスプリング流路プローブを配置した状態の断面図である。
【図６】チューブに拡開部加工を行ったスプリング流路プローブの断面図である。
【図７】被検査流体の抵抗値や高周波特性を検査する状態の断面図である。
【図８】（ａ）はガラス板に電極を形成しバイオチップに流路と電気回路を形成した状態の平面図、（ｂ）は（ａ）の側面図である。
【考案を実施するための形態】
【００１７】
以下、本考案バイオチップインターフェイスユニットの第一の実施例を図１〜図４と共に説明する。
１は四角形状に形成されたクレードルであって、該クレードル１の底面は後述するバイオチップ３を載置するためのキャビティー１ａが形成され、中央部には四角形状の開口部１ｂが形成され、光の通過が可能なように形成されている。
【００１８】
前記クレードル１の相対向する２辺には後述するカバー５のラッチ５ａと係合される切欠部１ｃが形成され、また、４隅にはクレードル１を図示しない固定台等にネジ止めするためのネジを挿入するための挿通孔又はタップ１ｄが形成されている。また、クレードル１の対角線上の２箇所にはカバー５の位置決め用孔５ｂに嵌合されるアライメントキー１ｅが取付けられ、また、前記切欠部１ｃと９０度異なる内面には凹欠部１ｆが形成されている。
【００１９】
前記クレードル１に載置したバイオチップ３はインターポーザ４により上面から位置決め及び固定される。クレードル１の前記凹欠部１ｆと対向する部分に、インターポーザ４には凹欠部４ａが形成されている。この凹欠部４ａと前記凹欠部１ｆの間に指等を差込み、インターポーザ４を外す事で、固定されているバイオチップ３を取り外し容易に交換が行える。
【００２０】
バイオチップ３の裏面側に２本のマイクロ流路３ａが形成され、該マイクロ流路３ａの両端には流出入孔３ｂが上面側に形成されている。なお、図１、２にはマイクロ流路３ａが２本の場合を示したが、マイクロ流路３ａは２本に限定されるものではない。
【００２１】
前記したカバー５は、クレードル１と同様な大きさで構成されており、クレードル１の前記アライメントキー１ｅをカバー５の前記位置決め用孔５ｂに嵌め込んだ状態において、カバー５のピン５ｃによって回動自在に軸支されているラッチ５ａがクレードル１の前記切欠部１ｃにスプリング５ｄ（図２参照）のバネ力によって結合されてクレードル１と一体化される。
【００２２】
前記カバー５の中央部には上下方向に貫通した四角形状の開口部５ｅが形成される。また、後に詳述する図３におけるプッシャー９は、前記したバイオチップ３の流出入孔３ｂと接続される２個のスプリング流路プローブ６及び他の流出入孔３ｂと接続される２個のスプリング流路プローブ６を上下動可能な状態で保持している。なお、カバー５をクレードル１と一体化した状態においてカバー５の開口部５ｅの上部或いはクレードル１の下部に顕微鏡を配置し、前記クレードル１の開口部１ｂの下部或いはカバー上部より光を照射することで、マイクロ流路３ａに流れる被検査流体の検査を顕微鏡によって正確に行うことが可能となる。
【００２３】
次に、前記した第一の実施例のスプリング流路プローブ６の構造を図４と共に説明する。
スプリング流路プローブ６は、上端が被検査流体（薬液や血液等）供給部（図示せず）に接続された外部流路であるチューブ７を固定部材６ａの筒部に挿入し嵌合固定構成されている。スプリング流路プローブ６の下端にはＯリング６ｂを収納するためのＯリング収納部６ｃが一体的に形成されている。なお、Ｏリング６ｂはＯリング収納部６ｃの下端外周部をカシメることで、Ｏリング６ｂが抜け出ないようにしている。なお、スプリング流路プローブ６にはスプリング６ｄが装着されている。
【００２４】
また、前記チューブ７の下端部はスプリング流路プローブ６を通貫し、チューブ７の下端孔はＯリング収納部６ｃに形成されている貫通孔６ｅと連通状態となっている。
【００２５】
次に、クレードル１とカバー５とを一体化した構造を図３と共に説明する。
なお、図３と図１、図２と同一符号は同一部材であるので説明は省略する。
図３において、カバー５とプッシャー９で保持された押下用スプリング８の押下げ用バネ力によってプッシャー９を押下してバイオチップを押え、スプリング流路プローブ６の接続をずれないようにしている。
【００２６】
また、前記プッシャー９には前記スプリング流路プローブ６のスプリング６ｄを含み収納され形成されている。
【００２７】
従って、前記押下用スプリング８のバネ力によってプッシャー９は押下されているので、スプリング流路プローブ６は、スプリング６ｄの圧縮と、Ｏリング６ｂによってバイオチップ３の流出入孔３ｂに密着し外部から流入、あるいは流出される被検査流体がバイオチップ３上に漏れ出ることはない。
【００２８】
なお、１つのバイオチップ３を使用して前記した方法によって流体の検査が終了し、次の検査を行う場合には一体化されているカバー５とクレードル１とをラッチ５ａを操作し分離することで、バイオチップ３が露出するので容易にバイオチップ３を取り外することが可能であることから、新規なバイオチップ３をセットした後は、カバー５とクレードル１とを一体化することで、次の検査の実行を短時間で行うことができる。
【００２９】
前記した実施例にあっては、クレードル１の下部に開口部１ｂを形成し、またカバー５の上面から下面に開口部５ｅを形成したのは、前記開口部１ｂの下方又は開口部５eの上
方からバイオチップ３に向かって光を照射し、前記カバー５の開口部５ｅの上部又はクレードル１の開口部１ｂに顕微鏡を配置し、バイオチップ３のマイクロ流路３ａに流れる被検査流体を検査することが可能である。顕微鏡による検査を行う必要がない場合には前記開口部１ｂ，５ｅは不要である。
【００３０】
次に、第２の実施例のスプリング流路プローブ１１を図５、図６と共に説明する。なお、図５と第１の実施例の図３と同一符号は同一部材を示しているので説明は省略する。
スプリング流路プローブ１１は下端部が加工された拡開部１２ａに形成されたチューブ１２と、固定部材１３とで構成されている。また、スプリング流路プローブ１１にはスプリング１３ａが装着され、拡開部１２ａが、突出するので、スプリング流路プローブ１１を下降させた状態で図５に示すようにバイオチップ３における流出入孔３ｂの周囲を囲んだ状態で拡開部１２ａの外周部が密着し、被検査流体を流出入孔３ｂへの流入、流出を行なった状態で流体が流出入孔３ｂから漏れ出るのを防止することができる。
【００３１】
次に、前記したスプリング流路プローブ６からバイオチップ３の流出入孔３ｂを経て、バイオチップ３のマイクロ流路３ａに注入された被検査流体に対して電流を流して被検査流体の抵抗値や高周波特性の測定を行う方法を図７、図８と共に説明する。なお、図７のスプリング流路プローブとしては第１の実施例のスプリング流路プローブ６で示しているが、第２の実施例のスプリング流路プローブ１１であっても良い。
【００３２】
図７，８において、バイオチップのガラス板２の上面には電源供給ピン１４を接続するための電極パターン２ａが２組形成され、該電極パターン２ａ間を接続するための導電パターン２ｂが形成されている。また、前記ガラス板２の上面に密着固定するＰＤＭＳ（一例として）の裏面には流出入孔３ｂが４組形成され、該流出入孔３ｂ間を接続するマイクロ流路３ａが形成されている。なお、本実施例では導電パターン２ｂが２本で、マイクロ流路３ａが導電パターン２ｂと交差して形成されているが、導電パターンの構成に制約は無く前記マイクロ流路３ａより流れ出る被検査流体は前記導電パターン２ｂに接触して、被検査流体に電流が流れることから、被検査流体の抵抗値や高周波特性の測定を行うことができる。バイオチップ３の電極にスプリング流路プローブ６またはスプリング流路プローブ１１を当てる構造により、ワンタッチでバイオチップの搭載測定或いは取り外しができる。
【符号の説明】
【００３３】
１      クレードル
１ａ    キャビティー
１ｂ    開口部
１ｃ    切欠部
１ｄ    挿通孔又はタップ
１ｅ    アライメントキー
１ｆ    凹欠部
２      ガラス板
２ａ    電極パターン
２ｂ    導電パターン
３      バイオチップ
３ａ    マイクロ流路
３ｂ    流出入孔
４      インターポーザ
４ａ    凹欠部
５      カバー
５ａ    ラッチ
５ｂ    位置決め用孔
５ｃ    ピン
５ｄ    スプリング
５ｅ    開口部
６      スプリング流路プローブ
６ａ    固定部材
６ｂ    Ｏリング
６ｃ    Ｏリング収納部
６ｄ    スプリング
６ｅ    貫通孔
７      チューブ
８      押下用スプリング
９      プッシャー
９ａ    ネジ
９ｂ    筒部
１１    スプリング流路プローブ
１２    チューブ
１２ａ  拡開部
１３    固定部材
１３ａ  スプリング
１４    電源供給ピン
【図１】
0003207758.tif 000003
【図２】
0003207758.tif 000004
【図３】
0003207758.tif 000005
【図４】
0003207758.tif 000006
【図５】
0003207758.tif 000007
【図６】
0003207758.tif 000008
【図７】
0003207758.tif 000009
【図８】
0003207758.tif 000010